(57)【要約】【課題】部品点数および組立て工数ともに増えることなく安価で構成され、製品組立時には取り付け易く、客先使用時には外れにくく、かつ製品修理時等の際には外し易い、加湿器等の電気製品のハンドル取付け構造を提供すること。【解決手段】合成樹脂製の外郭部材１，２で構成した本体と、この本体に係止された合成樹脂製のハンドル５とを有し、前記本体には左右で角度差を有する鍵状穴３，４を設け、前記ハンドル５の左右両端には前記鍵状穴３，４と同形状の突起８，９を有する軸部６，７を形成して、前記ハンドル４の左右両端軸部６，７を前記鍵状穴３，４に挿入することにより、ハンドル５を本体に対して取外し自在に取付けるようにしたものにおいて、前記本体の鍵状穴３，４に対する前記ハンドル５の左右両端軸部６，７の挿入のうち、少なくとも片方は使用時のハンドル５の動作範囲外の角度で挿入されるように構成した。【選択図】　　　　図１
2004084802.tif 000002
【特許請求の範囲】
【請求項１】
合成樹脂製の外郭部材で構成した本体と、この本体に係止された合成樹脂製のハンドルとを有し、前記本体には左右で角度差を有する鍵状穴を設け、前記ハンドルの左右両端には前記鍵状穴と同形状の突起を有する軸部を形成して、前記ハンドルの左右両端軸部を前記鍵状穴に挿入することにより、ハンドルを本体に対して取外し自在に取付けるようにしたものにおいて、前記本体の鍵状穴に対する前記ハンドルの左右両端軸部の挿入のうち、少なくとも片方は使用時のハンドルの動作範囲外の角度で挿入されるように構成したことを特徴とするハンドル取付け構造。
【請求項２】
前記使用時におけるハンドルの動作範囲外の角度で挿入されるハンドルの軸部挿入は、本体に設けられたハンドルストッパ部よりも下方の角度で挿入されるように構成したことを特徴とする請求項１記載のハンドル取付け構造。
【請求項３】
前記ハンドルの左右両端軸部に設けられた鍵状の突起は、その半径が前記本体に設けられた左右の鍵状穴の半径に対し、隙間を有するように設定されていることを特徴とする請求項１項記載のハンドル取付け構造。
【請求項４】
前記本体に設けられた左右の鍵状穴とそれぞれ対峙するハンドル左右両端軸部に設けられた鍵状の突起は、左右で鍵形状が異なることを特徴とする請求項１項記載のハンドル取付け構造。
【発明の詳細な説明】
【０００１】
【発明の属する技術分野】
この発明は、合成樹脂で構成された本体を有する加湿器等のハンドル取付け構造に関するものである。
【０００２】
【従来の技術】
従来、加湿器等の電気製品に装着される持ち運び用ハンドルは、製品組立時には取り付け易く、製品使用時には容易に取外せない様、かつ安価に製造できる方法がとられている。
【０００３】
そこで、従来は特開平１０−７５８９０号公報に示されている様なハンドル取付け構造が提案されている。
この従来技術では、鍵状穴を設けた本体と、この本体の鍵状穴と同形状を有する係止穴と複数の爪を持つ座と、左右両端の軸に鍵状の突起を設けたハンドルとで構成され、まず、本体の鍵状穴に座を係止させ、次にハンドルの鍵状突起を座の係止穴へ挿入することで、座に設けた複数の爪によってハンドルを係止する構造となっている。
【０００４】
そして、座を介しての本体へのハンドルの着脱挿入位置は本体に設けた鍵状穴が左右で角度差を有していることで、機体組立て後は着脱できない位置とすることにより、使用中はハンドルが外れることのないようにしている。
【０００５】
【発明が解決しようとする課題】
しかしながら、上記特開平１０−７５８９０号に示されている様な従来の構成では、本体に設けた鍵状穴が左右で角度差を有していることで、機体組立て後は容易に着脱できない構成にはなっているものの、本体とハンドルの間に座が介在することとなり、部品点数、組立て工数ともに増えてしまうといった課題があった。
【０００６】
本発明は、上記課題を解消する為になされたもので、部品点数および組立て工数ともに増えることなく安価で構成され、製品組立時には取り付け易く、客先使用時には外れにくく、かつ製品修理時等の際には外し易いハンドル取付け構造を提供することを目的としている。
【０００７】
【課題を解決するための手段】
本発明に係るハンドル取付け構造は、合成樹脂製の外郭部材で構成した本体と、この本体に係止された合成樹脂製のハンドルとを有し、前記本体には左右で角度差を有する鍵状穴を設け、前記ハンドルの左右両端には前記鍵状穴と同形状の突起を有する軸部を形成して、前記ハンドルの左右両端軸部を前記鍵状穴に挿入することにより、ハンドルを本体に対して取外し自在に取付けるようにしたものにおいて、前記本体の鍵状穴に対する前記ハンドルの左右両端軸部の挿入のうち、少なくとも片方は使用時のハンドルの動作範囲外の角度で挿入されるように構成したものである。
【０００８】
また、前記使用時におけるハンドルの動作範囲外の角度で挿入されるハンドルの軸部挿入は、本体に設けられたハンドルストッパ部よりも下方の角度で挿入されるように構成したものである。
【０００９】
また、前記ハンドルの左右両端軸部に設けられた鍵状の突起は、その半径が前記本体に設けられた左右の鍵状穴の半径に対し、隙間を有するように設定されているものである。
【００１０】
また、前記本体に設けられた左右の鍵状穴とそれぞれ対峙するハンドル左右両端軸部に設けられた鍵状の突起は、左右で鍵形状が異なるようにしたものである。
【００１１】
【発明の実施の形態】
実施の形態１．
以下、本発明の実施の形態１を図面に基づいて説明する。
図１は、本発明の実施の形態１である気化式加湿器の本体とハンドルの位置関係を示す模式図、図２は同気化式加湿器の断面図、図３は同気化式加湿器のハンドル動作説明図である。
図において、１，２は気化式加湿器の本体を構成する左右二分割された合成樹脂製の外郭部材であり、ファンユニット１５を挟み込むように構成され、ファンユニット１５から放出された風は、常時一定量の水を収容する水槽１３に設置された気化エレメント１４を通り機体外へ放出される。
【００１２】
３，４は前記外郭部材１，２に設けられた鍵状穴、５は合成樹脂製のハンドル、６，７はこのハンドルの左右両端に設けられた軸部、８，９は前記軸部６，７に設けられた前記鍵状穴３，４とそれぞれ同形状の突起で、１２は外郭部材１，２に一体成形されたハンドルストッパ部である。
ここで、前記突起８，９はその半径が鍵状穴３，４の半径に対し、隙間をもって設定されている。また、前記外郭部材１，２に設けられた鍵状穴３，４とそれぞれ対峙するハンドル５の左右両端軸部６，７に設けられた鍵状の突起８，９は左右にて鍵形状が異なるように形成されている。
【００１３】
次に、上記の構成からなる実施の形態１の作用について説明する。
ハンドル５を前記外郭部材１，２に装着する際、まず片方の外郭部材１に設けられた鍵状穴３に、前記ハンドルストッパ部１２よりも下方に設定された任意の角度αにて、前記軸部６を挿入する。ここで、前記突起８はその半径が鍵状穴３の半径に対し、隙間をもって設定されているため、無理ばめではない。
【００１４】
次に、他方の外郭部材２に設けられた鍵状穴４に前記軸部７を挿入するが、その際、任意の角度αから、合成樹脂製のハンドル５の弾性を利用し、ハンドルストッパ部１２を乗り越え、ハンドルストッパ部１２よりも上方の任意の角度βにて鍵状穴４に軸部７を挿入する。ここでも前記突起９はその半径が鍵状穴４の半径に対し、隙間をもって設定されているため、無理ばめではない。
【００１５】
すなわち、双方の前記鍵状穴３，４に前記軸部６，７を挿入する際は、無理ばめでないため、力を要せず、組立性を阻害しない。
【００１６】
さらに、前記外郭部材１，２に設けられた左右の鍵状穴３，４とそれぞれ対峙するハンドル５の左右両端軸部６，７に設けられた鍵状の突起８，９は左右にて鍵形状が異なるため、組立時において、誤挿入が防げるものである。
【００１７】
また、客先での使用時におけるハンドル５の動作範囲は図３のようになる。まず、ハンドル５を持って本体を持ち上げた際には、ハンドル５は直立となり、ハンドル５を収納する際には、ハンドル５は水平となり、ハンドルストッパ部１２にて受け止められる。すなわち、ハンドル５が本体から着脱可能な角度にならないため、ハンドル５が本体から外れてしまうことはない。
【００１８】
また、客先で故意にハンドル５を本体から外そうとしても、たとえ、前記ハンドルストッパ部１２よりも上方に設定された任意の角度βにて、前記鍵状穴４に挿入された前記軸部７が外されたとしても、前記鍵状穴３に挿入された前記軸部６を外すためには、前記ハンドルストッパ部１２をハンドル５が乗り越え、前記着脱可能な角度αにならなければならないため、客先では分かりづらく、ハンドル５は外しにくい。
【００１９】
また、製品の点検や修理時等のように、分解の必要がある際には、着脱可能な角度αおよびβを事前に修理マニュアル等で開示しておくことにより、また、前記突起８、９はその半径が鍵状穴３、４の半径に対し、それぞれ隙間をもって設定されていることにより、サービスマンはハンドル５を容易に外すことができる。
【００２０】
【発明の効果】
以上のように、本発明の請求項１及び２によれば、部品点数および組立て工数ともに増えることなく安価で構成され、製品組立時には取り付け易く、客先使用時には外れにくく、かつ製品の点検や修理時等の際には外し易い、ハンドル取付け構造を提供することができる。
【００２１】
また、本発明の請求項３によれば、前記ハンドルの左右両端軸部に設けられた鍵状の突起は、その半径が前記本体左右に設けられた鍵状穴の半径に対し、隙間を設けて設定されているので、無理ばめにはならないため、組立時にも力を要せず、特に左右二分割された合成樹脂製の外郭部材にて本体を構成した場合も、製品修理時等の際には分解が容易である。
【００２２】
また、本発明の請求項４によれば、前記本体左右に設けられた鍵状穴とそれぞれ対峙するハンドル左右両端部に設けられた鍵状の突起は、左右にて鍵形状が異なるように構成しているので、組立時において誤挿入を防止できる。
【図面の簡単な説明】
【図１】本発明の実施の形態１である気化式加湿器の本体とハンドルの位置関係を示す模式図である。
【図２】同気化式加湿器の断面図である。
【図３】同気化式加湿器のハンドル動作説明図である。
【符号の説明】
１，２　外郭部材、３，４　鍵状穴、５　ハンドル、６，７　ハンドル両端軸部、８，９　突起、１２　ハンドルストッパ部、１３　水槽、１４　気化エレメント、１５　ファンユニット。
【図１】
2004084802.tif 000003
【図２】
2004084802.tif 000004
【図３】
2004084802.tif 000005